(57)【要約】【課題】再生部をロック状態にする際に生じる動作負荷を低減させる。【解決手段】アームクランパ２背面にはアームクランパ曲げ部１２が設けられ、第１スライダ４には、第１スライダ４が一方向にスライドし、かつ、アームクランパ２が開いた際に、アームクランパ曲げ部１２が押圧するスライダ曲げ部１３が設けられる。【選択図】図１
2011159357.tif 000002
【特許請求の範囲】
【請求項１】
ディスクが載置されるターンテーブルが搭載されたベース部と、前方側に前記ディスクを前記ターンテーブル側に付勢するクランパが設けられ、後方側が前記ベース部と回動可能に連結されたアームクランパと、前記アームクランパの背面側に、左右にスライド可能に設けられた第１スライダと、前記第１スライダに屈曲自在に連結されて前後にスライド可能に設けられた第２スライダと、前記アームクランパと前記第２スライダとに相対的に設けられ、当該第２スライダのスライドによって当該アームクランパを回動させて開閉するピンと傾斜部とを備えたディスク再生装置において、
前記アームクランパ背面にはアームクランパ曲げ部が設けられ、
前記第１スライダには、前記第１スライダが一方向にスライドし、かつ、前記アームクランパが開いた際に、前記アームクランパ曲げ部が押圧するスライダ曲げ部が設けられる
ことを特徴とするディスク再生装置。
【発明の詳細な説明】
【技術分野】
【０００１】
この発明は、例えば、ディスク再生を行う際に再生部をフローティング状態にし、ディスク搬送を行う際に再生部をロック状態にするディスク再生装置に関するものである。
【背景技術】
【０００２】
従来の車載用のディスク再生装置は、ディスクが載置されるターンテーブルが搭載されたベース部と、このディスクをターンテーブル側に付勢するクランパが前方側に設けられたアームクランパとからなる再生部を備えている。また、アームクランパの後方側は、ベース部と回動可能に連結されている。なお、再生部は振動吸収部材により保持されている（例えば、特許文献１参照）。
【０００３】
このディスク再生装置では、ディスク再生を行う際に、ディスクまたはディスクの信号を読取る光ピックアップ等に衝撃が加わらないようにするため、再生部をフローティング状態にして振動吸収部材によって外部からの振動を吸収させる必要がある。また、ディスク搬送を行う際には、安定したディスク搬送動作やクランプ解除動作を行うため、再生部をフローティング状態からロック状態にする必要がある。
【０００４】
そのため従来のディスク再生装置では、ベース部背面に略Ｌ字型のベース曲げ部が設けられ、ベース部の一方の側面にはロックピンが設けられている。
また、再生部の背面側には左右にスライド可能な第１スライダが設けられ、再生部のロックピン側には、第１スライダと屈曲自在に連結されて、前後にスライド可能な第２スライダが設けられている。
【０００５】
この第１スライダには、第１スライダが一方向にスライドした際に、ベース曲げ部と係合する略Ｌ字型のスライダ曲げ部が設けられている。また、第２スライダには、第１スライダの一方向へのスライドに伴って第２スライダがスライドされた際に、ロックピンと係合する溝部が形成されている。
【０００６】
このように構成されたディスク再生装置において、再生部がフローティング状態の場合には、スライダ曲げ部はベース曲げ部から離れ、ロックピンは溝部から離れている。そのため再生部の前方向及び上下方向への移動に対するロックは解除されている。
【０００７】
一方、再生部をフローティング状態からロック状態にする場合には、第１スライダを一方向にスライドさせてベース曲げ部にスライダ曲げ部を係合させる。これにより再生部の前方向への移動をロックすることができる。
また、第１スライダの一方向へのスライドに伴って第２スライダがスライドする。これにより、溝部にロックピンが係合して再生部の上下方向への移動をロックすることができる。
【先行技術文献】
【特許文献】
【０００８】
【特許文献１】特開平７−２７２４１７号公報
【発明の概要】
【発明が解決しようとする課題】
【０００９】
しかしながら、従来のディスク再生装置では、再生部をフローティング状態からロック状態にする際に、スライダ曲げ部をベース曲げ部に摺動させながら係合させているため、再生部と第１スライダ間に動作負荷が発生するという課題がある。
【００１０】
この発明は、上記のような課題を解決するためになされたもので、再生部をフローティング状態からロック状態にする際に生じる動作負荷を低減させることができるディスク再生装置を提供することを目的としている。
【課題を解決するための手段】
【００１１】
この発明に係るディスク再生装置は、アームクランパ背面にはアームクランパ曲げ部が設けられ、第１スライダには、第１スライダが一方向にスライドし、かつ、アームクランパが開いた際に、アームクランパ曲げ部が押圧するスライダ曲げ部が設けられるものである。
【発明の効果】
【００１２】
この発明によれば、上記のように構成したので、アームクランパ背面にはアームクランパ曲げ部を設け、第１スライダには、第１スライダが一方向にスライドし、かつ、アームクランパが開いた際に、アームクランパ曲げ部が押圧するスライダ曲げ部を設けることで、第１スライダが一方向にスライドしてアームクランパが開いた場合にのみ、アームクランパ曲げ部がスライダ曲げ部を押圧して再生部の前方向への移動をロックすることができるため、再生部をフローティング状態からロック状態にする際に生じる動作負荷を低減させることができる。
【図面の簡単な説明】
【００１３】
【図１】この発明の実施の形態１に係るディスク再生装置の構成を示す斜視図である。
【図２】この発明の実施の形態１における再生部の前方向のロックを説明する（ａ）フローティング状態を示す斜視図であり、（ｂ）第１スライダのスライド状態を示す斜視図であり、（ｃ）ロック状態を示す斜視図である。
【図３】この発明の実施の形態１における再生部の前方向のロックを説明する（ａ）図２（ｂ）のＡ−Ａ線断面図であり、（ｂ）図２（ｃ）のＢ−Ｂ線断面図である。
【図４】この発明の実施の形態１における再生部の上下方向のロックを説明する（ａ）フローティング状態を示す側面図であり、（ｂ）ロック状態を示す側面図である。
【発明を実施するための形態】
【００１４】
以下、この発明の実施の形態について図面を参照しながら詳細に説明する。
実施の形態１．
ディスク装置は、図１に示すように、ベース部１とアームクランパ２とからなる再生部３、第１スライダ４、第２スライダ５及び連結部６から構成される。なお、再生部３は不図示の振動吸収部材に保持されている。
【００１５】
ベース部１は、ディスクが載置されるターンテーブル７が搭載されたものである。このベース部１の第２スライダ５側側面にはロックピン８が設けられている。
アームクランパ２は、ターンテーブル７上に位置した際にディスクをターンテーブル７側に付勢して保持するクランパ９が前方側に設けられたものである。このアームクランパ２両側面の後方側には、ベース部１と回動可能に連結された連結軸１０が設けられている。また、アームクランパ２の第２スライダ５側側面の前方側には回動ピン１１が設けられている。
【００１６】
また、図２に示すように、アームクランパ２背面の右端部には、略Ｌ字型のアームクランパ曲げ部１２が下向きに設けられている。ここで、図３（ａ）に示すように、アームクランパ曲げ部１２とアームクランパ２背面とのすき間部分の寸法は、第１スライダ４の後述するスライダ曲げ部１３がアームクランパ曲げ部１２と摺動することがないように、スライダ曲げ部１３の厚みより大きな寸法に構成されている。
【００１７】
第１スライダ４は、再生部３の背面側に設けられるものであり、左右にスライド可能に構成されている。この第１スライダ４は不図示の駆動部により左右にスライドされる。また、図２に示すように、第１スライダ４の右端部には、第１スライダ４が一方向へスライドした際にアームクランパ曲げ部１２とアームクランパ２背面とのすき間部分に入り込む略Ｌ字型のスライダ曲げ部１３が横向きに設けられている。
【００１８】
このスライダ曲げ部１３は、図２，３に示すように、アームクランパ曲げ部１２とアームクランパ２背面とのすき間部分に入り込み、かつ、アームクランパ２が上向きに回動した際にアームクランパ曲げ部１２により押圧されることによって、再生部３の前方向への移動をロックするものである。
また、第１スライダ４の右端部下端は、連結部６と回動可能に連結されている。
【００１９】
第２スライダ５は、再生部３の回動ピン１１側に設けられるものであり、前後にスライド可能に構成されている。この第２スライダ５の後端部下端は、連結部６と回動可能に連結されている。また、第２スライダ５の前方側には、コの字型溝部１４と傾斜部１５が形成されている。
【００２０】
コの字型溝部１４は、第１スライダ４の一方向へのスライドに伴って第２スライダ５がスライドされた際に、ロックピン８と係合することによって再生部３の上下方向への移動をロックするものである。
また、傾斜部１５は、第１スライダ４の一方向へのスライドに伴って第２スライダ５がスライドされた際に、回動ピン１１と係合して持ち上げることによってアームクランパ２を連結軸１０を支点に上向きに回動させるものである。
【００２１】
次に、上記のように構成されたディスク再生装置の動作について図１〜４を参照しながら説明する。
まず、ターンテーブル７に載置されたディスクを再生するために再生部３をフローティング状態にする場合には、不図示の駆動部により第１スライダ４を右方向にスライドさせる。これにより、図２（ａ）に示すように、スライダ曲げ部１３はアームクランパ曲げ部１２とアームクランパ２背面とのすき間部分から離れて、再生部３の前方向への移動に対するロックが解除される。
【００２２】
また、第１スライドの右方向へのスライドに伴って、連結部６に連結された第２スライダ５が前方向にスライドされる。これにより、図４（ａ）に示すように、ロックピン８はコの字型溝部１４から離れて、再生部３の上下方向への移動に対するロックが解除される。
また、回動ピン１１も傾斜部１５から離れて、アームクランパ２が連結軸１０を支点に下向きに回動して、クランパ９はディスクをターンテーブル７側に付勢する。
【００２３】
このようにして再生部３をフローティング状態にすることで、外部からの振動が振動吸収部材によって吸収され、ターンテーブル７に載置されたディスクやディスクの信号を読取る不図示の光ピックアップ等に衝撃が加わることはなく、ディスク再生に影響が及ぼされることはない。
【００２４】
次いで、ディスク搬送のために再生部３をロック状態にする場合には、不図示の駆動部により第１スライダ４を左方向にスライドさせる。これにより、図２（ｂ）に示すように、スライダ曲げ部１３はアームクランパ曲げ部１２とアームクランパ２背面とのすき間部分に入り込む。この際、図３（ａ）に示すように、スライダ曲げ部１３はアームクランパ曲げ部１２と摺動することはない。
【００２５】
また、第１スライダ４の左方向へのスライドに伴って、連結部６に連結された第２スライダ５が後方向にスライドされる。これにより、図４（ｂ）に示すように、ロックピン８がコの字型溝部１４に係合されることによって、再生部３の上下方向への移動がロックされる。
【００２６】
また、傾斜部１５により回動ピン１１が持ち上げられることによって、アームクランパ２が連結軸１０を支点に上向きに回動する。これにより、図２（ｃ），図３（ｂ）に示すように、アームクランパ曲げ部１２がスライダ曲げ部１３を押圧することによって、再生部３の前方向への移動がロックされる。
このようにして再生部３をロック状態にすることで、再生部３を前方向及び上下方向でロックすることができ、安定したディスク搬送を行うことができる。
【００２７】
以上のように、この実施の形態１によれば、アームクランパ２背面にはアームクランパ曲げ部１２を設け、第１スライダ４には、第１スライダ４が一方向にスライドし、かつ、アームクランパ２が開いた際に、アームクランパ曲げ部１２が押圧するスライダ曲げ部１３を設けるように構成したので、第１スライダ４が一方向にスライドしてスライダ曲げ部１３がアームクランパ曲げ部１２とアームクランパ２背面とのすき間部分に入り込む際には摺動することがなく、アームクランパ２が開いた場合にのみアームクランパ曲げ部１２がスライダ曲げ部１３を押圧して再生部３の前方向への移動をロックすることができるため、再生部３をロック状態にする際に生じる動作負荷を低減させることができる。
【００２８】
また、この実施の形態１に係るディスク再生装置では、アームクランパ２に回動ピン１１を設け、第２スライダ５に傾斜部１５を形成するように構成したが、これとは反対に、アームクランパ２に傾斜部１５を形成し、第２スライダ５に回動ピン１１を設ける構成としても、同一の作用効果を得られる。
【符号の説明】
【００２９】
１  ベース部、２  アームクランパ、３  再生部、４  第１スライダ、５  第２スライダ、６  連結部、７  ターンテーブル、８  ロックピン、９  クランパ、１０  連結軸、１１  回動ピン、１２  アームクランパ曲げ部、１３  スライダ曲げ部、１４  コの字型溝部、１５  傾斜部。
【図１】
2011159357.tif 000003
【図２】
2011159357.tif 000004
【図３】
2011159357.tif 000005
【図４】
2011159357.tif 000006